(57)【要約】【課題】滑り止め効果と熱膨張による変形防止とを可能とした熱膨張による変形防止可能な覆い物体の滑り止め固定部材を提供する。【解決手段】屋上に配置される覆い物体を、屋上に固着するために使用する滑り止め固定部材１０であって、前記滑り止め固定部材１０の少なくとも一つの表面には、複数の突出部１０２が形成されると共に、それら複数の突出部１０２同士が相互にギャップを介して隣り合うように前記滑り止め固定部材１０の表面に配列して形成することで、熱膨張による変形防止可能な覆い物体の滑り止め固定部材を構成した。【選択図】　　　図１
0003098491.tif 000002
【実用新案登録請求の範囲】
【請求項１】
屋上に配置される覆い物体を、屋上に固着するために使用する扁平長尺状の板部材からなる熱膨張による変形防止可能な覆い物体の滑り止め固定部材であって、
前記滑り止め固定部材の少なくとも一つの表面には、複数の突出部が形成されると共に、それら複数の突出部同士が相互にギャップを介して隣り合うように前記滑り止め固定部材の表面に配列して形成されることを特徴とする熱膨張による変形防止可能な覆い物体の滑り止め固定部材。
【請求項２】
前記複数の突出部同士が相互に所定のギャップを介して隣り合うと共に、規則正しく前記滑り止め固定部材の表面に配列して形成されていることを特徴とする請求項１に記載の熱膨張による変形防止可能な覆い物体の滑り止め固定部材。
【請求項３】
前記滑り止め固定部材がプラスチック合成板であることを特徴とする請求項１に記載の熱膨張による変形防止可能な覆い物体の滑り止め固定部材。
【請求項４】
前記覆い物体が、遮光メッシュ，プラスチック布材，光線案内カバー，或るいは断熱板のうちから択一的に選択されるものであることを特徴とする請求項１に記載の熱膨張による変形防止可能な覆い物体の滑り止め固定部材。
【請求項５】
前記突出部が三角形，四辺形，多辺形及び不規則形状のうちから択一的に選択された形状に形成されたものであることを特徴とする請求項１〜請求項４のいずれ一つに記載の熱膨張による変形防止可能な覆い物体の滑り止め固定部材。
【考案の詳細な説明】
【０００１】
【考案の属する技術分野】
本考案は、屋上に使用される覆い物体の滑り止め固定部材の構造の改良に係わり、特に屋上に配置される覆い物体を屋上に固着し、且つ同時に滑り止め効果と熱膨張による変形防止を可能とした熱膨張による変形防止可能な覆い物体の滑り止め固定部材に関するものである。
【０００２】
【従来の技術】
従来では、屋上に覆い物体を配置し、この覆い物体を屋上に固着するために使用される滑り止め固定部材は、その構造が極めて簡単に形成されている。即ち、普通は表面が滑らかな長尺状のリブ形状に形成され、複数のネジ同士によって屋上に固着されるように加工成形されている。
従来の上記のように簡単な構成の滑り止め固定部材は、製造し易いが、外部環境の影響に耐える耐久テストをパスできなくなってきている。例えば、酷暑の夏季にあっては、従来の滑り止め固定部材では、容易に高温の影響により膨張して曲がりを発生し易く、滑り止め固定部材が収縮及び膨張を繰り返す結果、ネジと屋根との間に弛みが生じやすくなり、覆い物体が屋上から離脱する場合さえある。
また、他によく見られる状況では、従来の滑り止め固定部材の表面は滑らかに形成されているので、覆い物体との面接触による摩擦力があまりにも小さく、大風或いは大雨等の自然現象の影響により、屋上における覆い物体がぼろぼろになってしまったり、元の固着位置がずれるなどの不具合が発生する場合がある。
【０００３】
施工の安全性を考慮すると、従来の滑り止め固定部材はすでに競争力を失ってしまっている。その原因は、その構造が簡単であり過ぎ、且つ表面が滑らかなためで、施工人員が傾斜した屋上から不用意に滑り落ちる場合さえあるので、施工人員の安全性を確保できない恐れがある。
【０００４】
【課題を解決するための手段】
本考案の目的は、主に、従来の滑り止め固定部材の前記の諸課題を解消することにあり、そのために、熱膨張反応を防止できる滑り止め固定部材を提供し、当該滑り止め固定部材が、屋上に配置される覆い物体を固着するために利用され、その覆い物体を屋上に固着できる。また、前記覆い物体の具体的な例が、例えば遮光メッシュやプラスチック布材や光線案内カバーや断熱板などから択一的に選択することができることを目的とする。
【０００５】
【考案の実施の形態】
本考案の構造と効果と目的とをさらに詳しく解明させるために、以下に添付図面を参照しながら本考案の具体的な実施の形態を詳細に説明する。
図１〜図４に示すのは、本考案の熱膨張による変形防止可能な覆い物体の滑り止め固定部材の具体的な実施の形態であり、そのうち、図１は本考案の滑り止め固定部材の平面図であり、図２は本考案の滑り止め固定部材の底面図であり、図３は本考案の滑り止め固定部材の側面図であり、図４は本考案の熱膨張による変形防止可能な覆い物体の滑り止め固定部材の他の側面部の拡大図である。
【０００６】
前記に説明した図面に示すように、本考案の特徴は、滑り止め固定部材１０の表面に複数の突出部１０２，１０２を有し、且つ裏面にも複数の突出部１０３，１０３が形成されていることにある。
前記滑り止め固定部材１０の表，裏面それぞれの前記各突出部１０２，１０３の隣接同士間には、ギャップが形成配列されているる。
【０００７】
また、図１〜図４のそれぞれの図面において、隣接する各突出部１０２，１０３はその表面がそれぞれ、突出部１０２，１０３同志の相互間に適切に形成されたギャップを介して前記滑り止め固定部材１０の表，裏面に、規則正しく四辺形に形成され、配列されている。
【０００８】
図５に示すものは、本考案の滑り止め固定部材の製造方法のフローチャートである。
まず、ステップ２０において、カット方向（例えば、図１のカット方向１２、または図２のカット方向１６）に沿って滑り止め固定部材に対し下向きに所定の深さを形成するようにカットし、それによって第一スリット（例えば、図１の第一スリット１０４、または図２の第一スリット１０５）を形成し、それから、ステップ２２において、他のカット方向（例えば、図１のカット方向１４、または図２のカット方向１８）に沿って前記滑り止め固定部材に対し下向きの適当な深さを形成するようにカットし、それによって第二スリット（例えば、図１の第二スリット１０６、または図２の第二スリット１０７）を形成し、且つ当該第二スリットとステップ２０の生成する第一スリットとを交差するように配列し、その後、ステップ２４において、前記ステップ２０と前記ステップ２２とを繰り返して実行する。
本考案に用いられる滑り止め固定部材を製造する材料としては、プラスチック合成板を採用することができる。
【０００９】
図５に示す工程を実施してから、前記図１〜図４に示すように、それぞれの第一スリット同士１０４，１０５は相互に平行にして、所定のギャップを介して前記滑り止め固定部材１０の表面に配列すると共に、前記それぞれの第二スリット１０６，１０７も相互に平行にして、所定のギャップを介して前記滑り止め固定部材１０の表面に配列される。
【００１０】
また、本考案の前記突出部の形状は、数多くの交差するスリットを形成するので、熱膨張による曲がり現象に対応することが防止できる。この点については、図６に、滑り止め固定部材１０の一部エリアの熱膨張前後の変化状況が示してあるが、熱膨張すると、二つの突出部同士１０３が熱外方へ拡張するようになるので、それらの間の距離が狭くなるが、第一スリット１０５の存在により、前記二つの突出部同士１０３が相互に当接することはなく、従って、滑り止め固定部材全体に曲がり現象を生じさせることは一切ない。
【００１１】
勿論、本考案を実施する形態は前記図１〜図４に示すものだけに限らず、それぞれ異なる形状（例えば、三角形や、四辺形や、多辺形等の不規則の形状など）に突出部を有する固定部材を形成できる。
【００１２】
前記に本考案の好適な実施の形態を開示したが、それらは本考案を限定するものではなく、当該分野における技術者であれば本考案の実用新案登録請求の範囲を逸脱しない範囲内で各種の変更や改良ができることは勿論、これら変更及び改良は本考案の権利範囲内に包含されることは言うまでもない。
【００１３】
【考案の効果】
以上説明したように、本考案は、屋上に配置される覆い物体を、屋上に固着するために使用する滑り止め固定部材であって、前記滑り止め固定部材の少なくとも一つの表面には、複数の突出部が形成されると共に、それら複数の突出部同士が相互にギャップを介して隣り合うように前記滑り止め固定部材の表面に配列して形成される構成を備えているので、以下のような効果を奏する。
【００１４】
即ち、本考案の前記突出部の配置形成によって滑り止め固定部材と覆い物体との間の摩擦力を強化でき、両者を緊密的に当接させることができ、且つ傾斜した屋上から施工人員が不用意に滑り落ちることを防止できるので、施工作業員の工事の安全性を向上できる。
また、本考案の前記突出部の形状は、数多くの交差するスリットを形成するので、熱膨張による曲がり現象に適切に対応して、曲がり現象を防止できる。
さらに、本考案の固定部材として、例えばプラスチック合成板などの熱可塑性複合材料を採用できる。そのような材料は加工に便利であると共に、破裂耐久性及び耐破損性がよく、保存寿命が長く、且つリサイクル使用できるので、本考案は同時に環境保護が可能となる。
【図面の簡単な説明】
【図１】本考案の熱膨張による変形防止可能な覆い物体の滑り止め固定部材を示す平面図である。
【図２】本考案の滑り止め固定部材を示す底面図である。
【図３】本考案の滑り止め固定部材を示す側面図である。
【図４】本考案の滑り止め固定部材を示す他の側面の側面拡大図である。
【図５】本考案の滑り止め固定部材の製造方法のフローチャートである。
【図６】本考案の滑り止め固定部材の一部エリアの熱膨張前後の変化状態を示す説明図である。
【符号の説明】
１０　　　　　　滑り止め固定部材
１２，１６　　　カット方向
１４，１８　　　他のカット方向
１０２，１０３　突出部
１０４，１０５　第一スリット
１０６，１０７　第二スリット
【図１】
0003098491.tif 000003
【図２】
0003098491.tif 000004
【図３】
0003098491.tif 000005
【図４】
0003098491.tif 000006
【図５】
0003098491.tif 000007
【図６】
0003098491.tif 000008